(57)【要約】【課題】本発明では、温度変化によってレンズの寸法が変化した場合に、ガタが出ることを問題としている。【解決手段】そのため、本発明では、レンズを鏡筒に固定するための押え部材を有するレンズ装置において、前記押え部材は弾性材よりなり、前記押え部材をたわませる突起が前記押え部材と前記レンズとの間に設置されている構成をとるので、温度変化によってレンズ１１の寸法が変化した場合にも、押え部材（弾性材）で常に押し付け方向に付勢しているためにゆるまず、ガタが出ることはない。【選択図】    図１
2004279660.tif 000002
【特許請求の範囲】
【請求項１】
レンズを鏡筒に固定するための押え部材を有するレンズ装置において、
前記押え部材は弾性材よりなり、
前記押え部材をたわませる突起が前記押え部材と前記レンズとの間に設置されていることを特徴とするレンズ装置。
【発明の詳細な説明】
【０００１】
【発明の属する技術分野】
本発明は、レンズ装置におけるレンズ（ズームレンズ、フォーカスレンズ）の固定方法に関して、特に温度による寸法変化の大きな材質で形成されたレンズの押えに好適なものである。
【０００２】
本発明は、レンズ装置に装着されたカメラ装置を有するテレビカメラ、ビデオカメラ、デジタルカメラ、銀塩カメラ、等の撮影装置に適用できる。
【０００３】
【従来の技術】
従来、レンズ装置のレンズ固定には、押え環、かしめ等の手法が多く用いられていた。また、温度による寸法変化の大きな材質で形成されたレンズ、例えば、プラスチックモールドレンズを固定する場合には、接着が多く用いられていた。
【０００４】
【発明が解決しようとする課題】
しかし、上記押え環やかしめのようなレンズ固定方法は、レンズが温度の変化により膨張や収縮すると、ゆるみやガタが発生する問題があった。また、押え環を止めるために鏡筒にネジを切ったり、かしめの工程を追加する必要があり、コストアップの原因になっていた。
【０００５】
また、接着で固定する場合には、接着剤の硬化時間や接着固定後に温度変化によりレンズの寸法が変化したときの接着剤はがれ、衝撃によるレンズの剥落などの問題があった。
【０００６】
【課題を解決するための手段】
以上の問題を解決するために、本発明では、レンズを鏡筒に固定するための押え部材を有するレンズ装置において、前記押え部材は弾性材よりなり、前記押え部材をたわませる突起が前記押え部材と前記レンズとの間に設置されている構成をとる。
【０００７】
例えば、本発明では、バネ性のある材質で形成した押え部材に鏡筒の内径に引っ掛かるように引っ掛け部（ツメ）を構成し、さらに、レンズとの突き当て面に突起あるいは中間部材、あるいはレンズの押え面に突起を設け、押え部材をいずれかの突起に突き当てるように押え部材をレンズの押え方向に向けて押し込む。このとき、押え部材のツメが鏡筒の内径に引っ掛かって抜けなくなることでレンズを固定することを特徴とする。
【０００８】
【発明の実施の形態】
［第一の実施例］
図１には本発明の代表的な構成を示す。レンズ鏡筒１にはレンズの位置決めのための嵌合穴１ａと、レンズ突き当て面１ｂと、レンズを挿入するための穴１ｃが設けられている。ここにレンズ２を挿入する。この時のレンズの突き当て面を２ａ、押え面を２ｂとする。レンズは嵌合穴１ａと突き当て面１ｂとで位置が決まる。レンズ２の位置が決まった後、バネ性のある材質（弾性材）で形成された押え部材３を穴１ｃに挿入する。
【０００９】
図２には押え部材３の形状を示す。押え部材３の外周部にはツメ３ａが等間隔に配置される。また、レンズの押え面２ｂと接触する側の面に突起３ｂを設ける。この時、突起３ｂはツメ３ａの間に均等に設けると押え部材３を形成するバネ材の性能を効率よく使うことが可能であるが、使用形態や部品形状の制約等がある場合はその限りではない。さらに、ツメ３ａは突起３ｂとは反対の方向に向けて立ち上げておくと鏡筒の穴１ｃに挿入する時の作業がより簡単になる。ただし、立ち上げる場合はツメ３ａの部分の外周が鏡筒の穴１ｃより小さくならないように注意する。
【００１０】
図３には押え部材３がレンズ２を押えている様子を示す。レンズ２（ズームレンズ又はフォーカスレンズ）は鏡筒１に突き当て面２ａで光軸方向の位置が決まる。押え部材３はレンズ２の押え面２ｂに突起３ｂで接触する。突起３ｂが突き当たることにより、押え部材３には２つのツメ３ａの間で図中ａの方向に力がかかり、レンズ２と反対の方向に抜けようとする。しかし、押え部材３にはツメ３ａが設けられているため、ツメ３ａが鏡筒の内径１ｃにクサビ状に引っ掛かり、抜けずにレンズ２を押え続けることができる。
【００１１】
弾性材である押え部材３の材質は、バネ性のある金属、例えば、バネ用リン青銅や、バネ用ステンレス等、突起３ｂの材質は、たやすくつぶれてしまうことの無い材質であること、価格の面から見れば押え部材３と一体で製作することが好ましい。
【００１２】
［第二の実施例］
図４には本発明の第二の実施例のレンズ形状の一例を示す。なお、レンズ鏡筒は第一の実施例のレンズ鏡筒１と同一である。レンズ１１には光軸方向の位置決めの基準となる突き当て面１１ａが設けられている。それと反対側の面には突起１１ｂが設けられている。
【００１３】
図５には本発明の第二の実施例のレンズを押える押え部材の形状の一例を示す。押え部材１２には鏡筒の内径に引っ掛けるためのツメ１２ａが設けられている。
【００１４】
なお、第一の実施例の場合と同様にツメ１２ａを一方に少し立ち上げておくと挿入の作業が簡単になる。
【００１５】
以上のような構成で、鏡筒にレンズ１１を入れて位置決めをした後、押え部材１２をレンズ１１の突起１１ｂに突き当たるまで押し込む。この時、突起１１ｂをツメ１２ａの中央に角度を合わせて取り付けると押え部材１２を形成するバネ材の性能を効率よく使うことが可能であるが、使用形態や組み込み調整の制約等がある場合はその限りではない。押え部材１２をレンズの突起１１ｂに接触するまで押し込むと、押え部材１２には２つのツメ１２ａの間に力がかかり、レンズ１１と反対の方向に抜けようとする。しかし、押え部材１２にはツメ１２ａが設けられているため、ツメ１２ａが鏡筒の内径にクサビ状に引っ掛かり、抜けずにレンズ１１を押え続けることができる。
【００１６】
［第三の実施例］
図６には本発明の第三の実施例の中間部材の形状の一例を示す。なお、レンズ鏡筒とレンズは第一の実施例と同一、レンズ１１を押える押え部材１２は第二の実施例と同一である。中間部材２１には突起２１ａが少なくとも片面に設けられている。
【００１７】
レンズ１１を鏡筒１に挿入して位置決めをした後、中間部材２１をレンズ１１と押え部材１２の間にはさむように入れる。この時、中間部材２１の突起２１ａを、押え部材１２のツメ１２ａの中央に角度を合わせて取り付けると押え部材１２を形成するバネ材（弾性材）の性能を効率よく使うことが可能であるが、使用形態や組み込み調整の制約等がある場合はその限りではない。押え部材を中間部材の突起２１ａに接触するまで押し込むと、押え部材には２つのツメ１２ａの間に力がかかり、レンズ１１と反対の方向に抜けようとする。しかし、押え部材１２にはツメ１２ａが設けられているため、ツメが鏡筒の内径にクサビ状に引っ掛かり、抜けずにレンズを押え続けることができる。
【００１８】
中間部材２１の材質は、たやすくつぶれてしまうことの無い材質であることが好ましい。
【００１９】
以上のような実施例１〜３の構成により、鏡筒１の内部へのレンズ１１の固定が短時間で確実にできるようになる。また、温度変化によってレンズ１１の寸法が変化した場合にも、バネ性のある部材（弾性材）１２で常に押し付け方向に付勢しているためにゆるまず、ガタが出ることはない。
【００２０】
また、実施例にはプラスチックモールドレンズを例にあげて説明をしたが、ガラスレンズを押える場合にも有効である。
【００２１】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００２２】
本発明の実施態様の例を以下に列挙する。
【００２３】
［実施態様１］
レンズを鏡筒に固定するための押え部材を有するレンズ装置において、
前記押え部材は弾性材よりなり、
前記押え部材をたわませる突起が前記押え部材と前記レンズとの間に設置されていることを特徴とするレンズ装置。
【００２４】
［実施態様２］
前記押え部材は、前記レンズを通る光束をよけるような形状であり、且つ、少なくとも２箇所以上の突起と引っ掛け部を備えており、
前記突起を前記レンズの押え面に突き当て、前記引っ掛け部（＝ツメ）を前記鏡筒の内径にクサビ状に引っ掛けることにより、前記レンズの押えと抜け止めを行っている実施態様１記載のレンズ装置。
【００２５】
［実施態様３］
前記押え部材は、前記レンズを通る光束をよけるような形状であり、且つ、少なくとも２箇所以上の引っ掛け部を備えており、
前記レンズの押え面に少なくとも２箇所以上の突起を備えており、
前記突起を前記押え部材に突き当て、前記引っ掛け部を前記鏡筒の内径にクサビ状に引っ掛けることにより、前記レンズの押えと抜け止めを行っている実施態様１記載のレンズ装置。
【００２６】
［実施態様４］
前記押え部材は、前記レンズを通る光束をよけるような形状であり、且つ、少なくとも２箇所以上の引っ掛け部を備えており、
少なくとも２箇所以上の突起を設けた中間部材を備えており、
前記中間部材の突起を前記レンズの押え面に突き当て、且つ、前記中間部材の突起を前記押え部材を突き当て、前記引っ掛け部を前記鏡筒の内径にクサビ状に引っ掛けることにより、前記レンズの押えと抜け止めを行っている実施態様１記載のレンズ装置。
【００２７】
［実施態様５］
前記引っ掛け部は前記突起の突き出し面とは反対側に向けてあらかじめ曲げを加えている実施態様１〜４のいづれか一項記載のレンズ装置。
【００２８】
［実施態様６］
前記レンズは、プラスチックレンズである実施態様１〜５のいづれか一項記載のレンズ装置。
【００２９】
［実施態様７］
実施態様１〜６のいづれか一項記載のレンズ装置を備え、前記レンズ装置に装着されたカメラ装置を有する撮影装置。
【００３０】
【発明の効果】
以上説明したように、本発明では、レンズを鏡筒に固定するための押え部材を有するレンズ装置において、前記押え部材は弾性材よりなり、前記押え部材をたわませる突起が前記押え部材と前記レンズとの間に設置されている構成をとるので、温度変化によってレンズ１１の寸法が変化した場合にも、押え部材（弾性材）で常に押し付け方向に付勢しているためにゆるまず、ガタが出ることはない。
【図面の簡単な説明】
【図１】本発明の第一の実施例の代表的な使用形態
【図２】本発明の第一の実施例の押え部材の形状
【図３】本発明の第一の実施例のレンズ押えの様子
【図４】本発明の第二の実施例のレンズの形状
【図５】本発明の第二の実施例の押え部材の形状
【図６】本発明の第三の実施例の中間部材の形状
【符号の説明】
１  鏡筒
１ａ  レンズラジアル方向の位置決め面
１ｂ  レンズ光軸方向の位置決め面
１ｃ  レンズ挿入穴
２  レンズ
２ａ  レンズ取り付け基準面
２ｂ  レンズ押え面
３  押え部材
３ａ  ツメ
３ｂ  突起
１１  レンズ
１１ａ  レンズ取り付け基準面
１１ｂ  突起
１２  押え部材
１２ａ  ツメ
２１  押え部材
２１ａ  突起
【図１】
2004279660.tif 000003
【図２】
2004279660.tif 000004
【図３】
2004279660.tif 000005
【図４】
2004279660.tif 000006
【図５】
2004279660.tif 000007
【図６】
2004279660.tif 000008